(57)【要約】      （修正有）【課題】変形の前後において表現されるモチーフが根本的に異なるような変形をする変形人形を提供する。【解決手段】矩形板状の胴体部２と胴体部の周側面に対して可動可能に取り付けた左右一対の腕部３ａ、３ｂと左右一対の脚部４ａ、４ｂを設け、胴体部と腕部の取り付けおよび胴体部と脚部の取り付けは、結合部材１２の両端に設けた球状体と、胴体部の周側面および／若しくは腕部および脚部の側面に設けた球状体を保持する筒状の内面を有した孔からなるボールジョイント機構によって行い、胴体部に対して腕部と脚部を密着させることによって形成した肉厚が一定かつ矩形の外形を有する板状体の形態と、胴体部から腕部と脚部を引き離すことによって形成した人間型の人形形態とを可逆的に変形可能となるように形成した。【選択図】図５
0003197087.tif 000002
【実用新案登録請求の範囲】
【請求項１】
矩形板状の胴体部と当該胴体部の周側面に対して可動可能に取り付けた左右一対の腕部と左右一対の脚部を設け、
前記胴体部と前記腕部の取り付けおよび前記胴体部と前記脚部の取り付けは、結合部材の両端に設けた球状体と、前記胴体部の周側面および／若しくは前記腕部および脚部の側面に設けた前記球状体を保持する筒状の内面を有した孔からなるボールジョイント機構によって行われ、
前記胴体部に対して前記腕部と脚部を密着させることによって形成した肉厚が一定かつ矩形の外形を有する板状体の形態と、前記胴体部から前記腕部と脚部を引き離すことによって形成した人間型の人形形態とを可逆的に変形可能となるように形成したことを特徴とする変形人形。
【請求項２】
前記腕部と前記脚部に、当該腕部および脚部が前記胴体部に密着した状態において互いに嵌合する部位を設け、
前記嵌合する部位における前記腕部と前記脚部の嵌合は、前記腕部若しくは前記脚部の一方若しくは双方が前記胴体部の周側面と直交する方向に向かって移動することによって解除されるものであることを特徴とする請求項１記載の変形人形。
【請求項３】
前記胴体部に前記左右の腕部を密着させた状態の全幅と同寸法の横幅を有する頭部となる矩形の板状体を設け、
前記胴体部と前記頭部となる矩形の板状体を、結合部材の両端に設けた球状体と当該球状体を保持する筒状の内面を有した孔からなるボールジョイント機構によって取り付け、
前記頭部となる矩形の板状体と前記胴体部に、互いを密着させた状態際で嵌合する凹部と凸部からなる嵌合部の一方若しくは双方を設け、
前記頭部となる矩形の板状体を前記胴体部上方の周側面と直交する方向に移動することによって前記嵌合を解除するように構成したことを特徴とする請求項１または請求項２記載の変形人形。
【請求項４】
前記腕部を、前記胴体部に結合する上腕体と当該上腕体の先端に回動可能に取り付けた立方体状の先端部材によって構成し、
前記先端部材は、前記上腕体を前記胴体部の周側面に密着させた際に、その一側面が前記胴体部の下方において内側に張り出すように取り付けられていることを特徴とする請求項１乃至３の何れか一項記載の変形人形。
【請求項５】
前記脚部は垂直方向沿った垂直部と水平面に沿った水平部を有したＬ字形を成しており、
前記垂直部と水平部に挟まれる空間部の外形と前記先端部材の外形が一致するように形成されており、前記空間部に前記先端部材を嵌め付けると正面視が正方形状の外形を有する結合体となるように構成されていることを特徴とする請求項４記載の変形人形。
【請求項６】
前記左右一対の脚部は、当該変形人形が板状の形態であるときに両垂直部の側面同士が互いに密着し、
両垂直部の側面にそれぞれ設けた嵌合部によって互いに結合するようになっていることを特徴とする請求項５記載の変形人形。
【考案の詳細な説明】
【技術分野】
【０００１】
本考案は、形態を平面的な板状の物体から手足を有する人間型の人形体に可逆的に変えることができる人形玩具に関するものである。
【背景技術】
【０００２】
従来、矩形板状の保持部材に表裏貫通した溝を設け、当該溝に対して腕部、脚部等の各部材に固定した球形関節体を可動可能に取付けた特許文献１記載の人形玩具がある。当該人形玩具は、矩形板状の保持部材に腕部、脚部等を取り付けたものであるが、表裏貫通した溝に球状の関節部材を嵌め合わせることによって取り付けたものであるため、これだけでは球状の関節部材が直ぐに脱落してしまうので両者の結合状態を維持することができない。このため、取付部を表裏から覆う前部と後部というパーツを装着することによって、保持部材に対する腕部と脚部の結合状態を維持するようになっている。
また、特許文献１記載の人形玩具は、アニメーション等で描画される腕・脚・頭部を有するロボットのような形態を成しており、腕部、脚部等の配置を換えて特定のポーズを取らせても、変形の前後においてロボットのような形態を成していることに変わりはない。すなわち、変形の前後において表現されるモチーフが根本的に異なるような変形をするものではない。
【先行技術文献】
【特許文献】
【０００３】
【特許文献１】実開平５−４４１８７号公報
【考案の概要】
【考案が解決しようとする課題】
【０００４】
本願考案は、球形関節を利用したボールジョイントを用いた人形でありながら、上記従来の人形玩具のように球形関節の可動部を覆う部材を必要としない人形体の提供を課題とする。また、変形前は人形体としての外観形状を有しない矩形の板状体でありながら、腕や脚を有する人形体に変形するという、変形の前後において表現されるモチーフが根本的に異なるような変形をする変形人形の提供を課題とするものである。
【課題を解決するための手段】
【０００５】
上記課題を解決するために本考案は以下の構成を有することを特徴とする。すなわち、本考案に係る変形人形１は、
矩形板状の胴体部２と当該胴体部２の周側面（８、９、１１）に対して可動可能に取り付けた左右一対の腕部３と左右一対の脚部４を設け、
前記胴体部２と前記腕部３の取り付けおよび前記胴体部２と前記脚部４の取り付けは、結合部材１２の両端に設けた球状体１４と、前記胴体部２の周側面（８、９、１１）および／若しくは前記腕部３および脚部４の側面に設けた前記球状体１４を保持する筒状の内面を有した孔（８ｂ、２１）からなるボールジョイント機構によって行われ、
前記胴体部２に対して前記腕部３と脚部４を密着させることによって形成した肉厚が一定かつ矩形の外形を有する板状体の形態と、前記胴体部２から前記腕部３と脚部４を引き離すことによって形成した人間型の人形形態とを可逆的に変形可能となるように形成したことを特徴とする。
【０００６】
また、本考案は上記変形人形１であって、
前記腕部３と前記脚部４に、当該腕部３および脚部４が前記胴体部２に密着した状態において互いに嵌合する部位（１８、１９）を設け、
前記嵌合する部位（１８、１９）における前記腕部３と前記脚部４の嵌合は、前記腕部３若しくは前記脚部４の一方若しくは双方が前記胴体部２の周側面（８、９、１１）と直交する方向に向かって移動することによって解除されるものであることを特徴とする。
【０００７】
また、本考案は上記変形人形１であって、
前記胴体部２に前記左右の腕部３を密着させた状態の全幅と同寸法の横幅を有する頭部５となる矩形の板状体を設け、
前記胴体部２と前記頭部５となる矩形の板状体を、結合部材１２の両端に設けた球状体１４と当該球状体を保持する筒状の内面を有した孔（５ｂ、１０ａ）からなるボールジョイント機構によって取り付け、
前記頭部５となる矩形の板状体と前記胴体部２に、互いを密着させた状態際で嵌合する凹部（２５）と凸部（２４）からなる嵌合部の一方若しくは双方を設け、
前記頭部５となる矩形の板状体を前記胴体部２上方の周側面１０と直交する方向に移動することによって前記嵌合を解除するように構成したことを特徴とする。
【０００８】
また、本考案は上記変形人形１であって、
前記腕部３を、前記胴体部２に結合する上腕体６と当該上腕体６の先端に回動可能に取り付けた立方体状の先端部材７によって構成し、
前記先端部材７は、前記上腕体６を前記胴体部２の周側面（８、９）に密着させた際に、その一側面が前記胴体部２の下方（１１）において内側に張り出すように取り付けられていることを特徴とする。
【０００９】
また、本考案は上記変形人形１であって、
前記脚部４は垂直方向沿った垂直部２０ａと水平面に沿った水平部２０ｂを有したＬ字形を成しており、
前記垂直部２０ａと水平部２０ｂに挟まれる空間部２０ｃの外形と前記先端部材７の外形が一致するように形成されており、前記空間部２０ｃに前記先端部材７を嵌め付けると正面視が正方形状の外形を有する結合体となるように構成されていることを特徴とする。
【００１０】
また、本考案は上記変形人形１であって、
前記左右一対の脚部４は、当該変形人形が板状の形態であるときに両垂直部２０ａの側面同士が互いに密着し、
両垂直部２０ａの側面にそれぞれ設けた嵌合部（２３ａ、２３ｂ）によって互いに結合するようになっていることを特徴とする。
【考案の効果】
【００１１】
本考案に係る変形人形は、矩形の板状体と人間を模した形態の人形体との間で可逆的にその形態を変化させることができるものである。変形人形の一方の形態は前述したように矩形の板状体であるが、複数の構成要素の複合体である変形人形を何らの位置決め手段無しに遊ぶ者の操作のみによって完全形に近い板状体にするのは難しい。本考案に係る変形人形は、各構成要素同士が適切に嵌合する嵌合手段を設けることによって、複数の構成要素を素早く適切な位置に配置して完全形に近い板状体を形成することができるという効果を有している。
また、板状体を成している状態では、一定の方向以外から加わった多少の外力では簡単に変形しない変形人形を提供することができるという効果を有している。
【図面の簡単な説明】
【００１２】
【図１】図１（ａ）は板状体の形態を成した変形人形を正面斜め上方から見た状態の斜視図であり、図１（ｂ）は当該変形人形を裏面斜め下方から見た状態の斜視図である。
【図２】人間状の形状に変形した変形人形の斜視図である。
【図３】変形人形を正面斜め上方から見た状態の分解斜視図である。
【図４】変形人形を正面斜め下方から見た状態の分解斜視図である。
【図５】図５（ａ）は板状を成した変形人形の表裏中間位置における断面図であり、図５（ｂ）は各構成要素を引き離した変形人形の表裏中間位置における断面図である。
【考案を実施するための形態】
【００１３】
以下、本考案を実施するための形態について図を参照して説明する。
本願考案に係る変形人形は、その形態を変化させることができる人形玩具であり、変形前の一形態は図１に示すように一定の肉厚を有する矩形の外形を有する板状体を成している。図１（ａ）は板状の形態を成した変形人形１を正面斜め上方から見た状態の斜視図であり、図１（ｂ）は当該変形人形１を裏面斜め下方から見た状態の斜視図である。
前記板状を成した当該人形体１は、複数の構成部材を互いに密着させた状態で板状体を成すように構成したものであり、各構成要素を展開した場合に図２に示すように人の形に変形することができるものである。
【００１４】
本実施の形態では、前記人形体１を構成する構成部材として、１個の胴体部２と当該胴体部２に対して可動可能に取り付けた左右一対の腕部３（３ａ、３ｂ）と左右一対の脚部４（４ａ、４ｂ）と頭部５となる板状体を設けている。
前記胴体部２は、人形体１の中央に配置されるものであり８ｍｍ程の肉厚を有する矩形の板状体として形成されている。表面２ａ裏面２ｂを除く胴体部２の左右、上下の各側面には、詳細には後述する関節部材を介して前記構成部材である腕部３、脚部４、頭部５が取り付けられている。腕部３は、前記胴体部２に接続される上腕体６（６ａ、６ｂ）と当該上腕体６の先端面に回動可能に取り付けた先端部材７（７ａ、７ｂ）によって構成されている。
【００１５】
図３は前記変形人形１を構成する構成部材を前記胴体部２から分離して正面斜め上方から見た状態の斜視図であり、図４は前記変形人形１を構成する構成部材を前記胴体部２から分離して正面斜め下方から見た状態の斜視図である。
胴体部２の表裏面（２ａ，２ｂ）を除く４つの側面（右側面８、左側面９、上側面１０、下側面１１）はそれぞれ矩形の平坦面として形成されており、それぞれの側面に結合部材１２の軸部１３両端に設けた球状体１４の一方を保持する筒状の内面を有した孔（８ａ、９ａ、１０ａ、１１ａ、１１ｂ）を設けている。
【００１６】
前記各孔の形状および構造は概ね同一である。当該各孔は、鉄アレイのような形状の結合部材１２が有する球状体１４を、孔の長手方向に沿って密着させながら移動可能に保持するとともに、移動可能な範囲の何れの位置においても回動可能に保持するように形成されている。孔内部の直径と球状体１４の外径は、ほぼ同寸法であり両者間に生じる摩擦力によって位置と姿勢を保持するようになっている。
また、各孔の開口面付近に内側に張り出した凸縁を設けており、通常用途で生じる程度の力では収容した球状体１４が抜け出ることが無いようになっている。
【００１７】
前記胴体部２と各構成部材の結合に関して具体的に説明する。
胴体部２の右側面８の上方には前述した構造の孔８ａを設けている。また、当該右側面８に装着される腕部３ａの上腕体６ａにも前述した構造の孔８ｂを設けている。右側面８の形状と、当該右側面８に接する上腕体６ａの接触面の形状は同一となるように形成されている。前記胴体部２の孔８ａと腕部３ａの孔８ｂは、一つの結合部材１２が両端の備える球状体１４をそれぞれ保持することで、胴体部２の右側面８に対して腕部３ａを取り付けている。
【００１８】
図５（ａ）は各構成部材を胴体部２に密着させて板状にした変形人形１の表裏の中央部における断面であり、図５（ｂ）は胴体部２から各構成部材を離した状態の表裏の中央部における断面である。
図５（ａ）において前記胴体部２と腕部３ａの結合状態を示すと、結合部材１２の一方の球状体１４が胴体部２の孔８ａの奥まで入り込み、結合部材１２の他方の球状体１４が腕部３ａ（上腕６ａ）の孔８ｂの奥まで入り込んでいる。また、図５（ｂ）において前記胴体部２と腕部３ａの結合状態を示すと、結合部材１２の一方の球状体１４が胴体部２の孔８ａの開口付近まで移動し、結合部材１２の他方の球状体１４が腕部３ａ（上腕６ａ）の孔８ｂの開口付近まで移動している。
【００１９】
上記のように、ボールジョイントを構成する結合部材１２と当該結合部材１２を保持する両部材の孔によって、胴体部２に密着した腕部３ａを引き離すように移動させることができるようになっている。胴体部２から引き離された腕部３ａは、孔の開口部によって制限を受ける球状体１４の回動可能な範囲に応じて、自在に回動および移動が可能になっている。
当該腕部３ａと同様に、他方の腕部３ｂ、脚部４ａ、４ｂ、頭部５が当該胴体部２に取り付けられており、それぞれ胴体部２と密着可能であり引き離すことによって移動および回動を可能にしている。
なお、必要に応じて腕部３、脚部４、頭部５に結合部材１２と同様の機能を有する球状体を一体的に設け、当該球状体を設けた各腕部３、脚部４、頭部５を胴体部２に設けた孔に対して回動可能に取り付けても良い。
【００２０】
次に、胴体部２に対して各構成部材が密着した状態について説明する。前述したように、結合部材１２と各構成部材に設けた孔によって構成されるボールジョイントを介して胴体部２と各構成部材が結合されており、変形人形１は板状の形態から人間状の形態に可逆的に変形できるようになっている。変形人形１は板状の形態の時、当該板状の形態が外力によって崩壊しにくいように、互いの構成要素が前記ボールジョイント以外の手段によって係合するようになっている。
【００２１】
前述したように腕部３（３ａ、３ｂ）には、先端面に形成した円形孔１５に係合する円形凸部１６を設けた先端部材７を回動可能に設けている。当該先端部材７は、前記上腕体６を前記胴体部２の側面に密着させた際に、内側に張り出しつつ当該胴体部２の下方の側面と接触する張り出し部１７を有している。
先端部材７は、上腕体６の先端を延長するような状態で設けた立方体状の部材であるが、上腕体６の先端面に設けた円形孔１５に対して、当該円形孔１５に係合する円形凸部１６を一方側（密着時において胴体部２と反対側）に偏った位置に取り付けている。このため、先端部材７の一側面側が密着時において胴体部２側にやや突出するようになっている。この突出した部分が張り出し部１７である。
【００２２】
先端部材７の張り出し部１７は、前記上腕体６を前記胴体部２の側面に密着させた際に、内側（胴体部２側）に張り出しつつ、上面部分の一部が当該胴体部２の下方の側面１１と接触するようになっている。このため、上腕体６を前記胴体部２の側面に密着した状態では、張り出し部１７が側面１１と係合することになり上腕体６の上方への移動が制限されるようになっている。すなわち、上腕体６を胴体部２から引き離さないと上方への移動が制限されることになり、外力に対する抵抗に対して板状の形態を維持する作用を有している。
【００２３】
また、先端部材７の張り出し部１７側の側面から底面にかけて、その中央にすり割り状の溝１８を設けている。当該溝１８は、次に説明する脚部４に設けたリブ状の凸部１９と係合するようになっており、脚部４との係合によって先端部材７の引き離し方向以外への移動が制限を受けるようになっている。その結果、変形人形１は無用な外力を受けても板状の形態が崩壊しにくくなっている。
【００２４】
図１〜図５示した図の上下を水平面に載置した変形人形１の上下若しくは垂直方向と定義すると、脚部４は垂直方向沿った垂直部２０ａと水平面に沿った水平部２０ｂを有したＬ字形を成している。そして、垂直部２０ａと水平部２０ｂに挟まれる空間部２０ｃの外形と前記先端部材７の外形が一致するようになっており、空間部２０ｃに先端部材７を嵌め付けると正面視が正方形状の外形を有する結合体となるようになっている。
また、空間部２０ｃには垂  直部２０ａから水平部２０ｂに亘る三角形状の外形を有する前述した凸部１９を設けている。当該凸部１９は、脚部４の空間部２０ｃに先端部材７が合致した際に、互いが前後方向に移動するのを制限する作用を有しており、前述したように変形人形１が無用な外力を受けても板状の形態が崩壊しにくくするための要素の一つになっている。
【００２５】
左右の脚部（４ａ、４ｂ）は、それぞれの垂直部２０ａの上端面に前述した結合部材１２の一方の球状体１４を収容し、移動・回動可能に保持する孔２１を有している。孔２１は前述した胴体部２の孔８ａ、上腕６ａの孔８ｂと同一である。また、孔２１に対向する胴体部２の下面に前述した孔１１ａ、１１ｂを設けており、当該孔１１ａ、１１ｂを有する胴体部２と孔２１を有する脚部（４ａ、４ｂ）を結合部材１２を介して結合している。
【００２６】
また、脚部４ａの垂直部２０ａと脚部４ｂの垂直部２０ａは、変形人形１が板状の形態であるときに、各垂直部２０ａの側面である垂直面２２ａ、２２ｂ同士が互いに密着するようになっている。この互いに密着する垂直面２２ａ、２２ｂには、それぞれ一対の凸部２３ａと凹部２３ｂにより形成した嵌合部を設けており、垂直面２２ａに設けた凸部と垂直面２２ｂに設けた凹部２３ｂが嵌合し、同時に垂直面２２ａに設けた凹部２３ｂと垂直面２２ｂに設けた凸部２３ａが嵌合するようになっている。
脚部４ａの垂直部２０ａと脚部４ｂの垂直部２０の垂直面２２ａ同士が密着すると、前記嵌合部２３ａ、２３ｂ同士が嵌合するので、互いを引き離す方向以外の外力（特に、表裏方向に作用する力）を受けても板状の形態が崩壊しにくくなっている。
【００２７】
また、胴体部２の上側面１０には孔１０ａが設けられており、頭部５となる板状体の下側面５ａには孔５ｂが設けられている。これら胴体部２の孔１０ａと頭部５の孔５ｂを結合部材１２を介して接続することによって、胴体部２と頭部５を接続している。
また、胴体部２の上側面１０には、孔１０ａの両脇にそれぞれ凸部２４、２４を設け、頭部５の下側面５ａには変形人形１が板状の形態であるときに対向する前記凸部２４、２４と嵌合する凹部２５，２５を設けている。
この構造により、変形人形１が板状の形態であるときには胴体部２と頭部５を引き離す方向以外の外力を受けても板状の形態が崩壊しにくくなっている。
【００２８】
以上説明したように、本考案に係る変形人形１は、矩形板状の胴体部２を中心としてその側面に、腕、脚、頭となる構成要素を接続している。そして、各構成要素を胴体部２に密着させた状態では全体として板状の外観形状を成し、各構成要素同士が係合するとともに互いの動作を制限しあうことによって板状の外観形状を維持するようになっている。そして、板状の形態から人間の形態を模した人形体としての形状に変形させる場合には、各構成要素を胴体部２が引き離すように移動させることで各構成要素の拘束が解かれ、自由に移動や回動ができるようになっている。
【産業上の利用可能性】
【００２９】
本考案は、板状の形態から人間型の形態に変形可能な変形人形に利用可能である。
【符号の説明】
【００３０】
１  変形人形
２  胴体部
３（３ａ、３ｂ）  左右一対の腕部
４（４ａ、４ｂ）  左右一対の脚部
５  頭部
５ａ  下側面
５ｂ  孔
６（６ａ、６ｂ）  上腕体
７（７ａ、７ｂ）  先端部材
８  右側面
８ａ    孔
９  左側面
９ａ  孔
１０  上側面
１０ａ  孔
１１  下側面
１１ａ  孔
１１ｂ  孔
１２  結合部材
１３  軸部
１４  球状体
１５  円形凹部
１６  円形凸部
１７  張り出し部
１８  すり割り状の溝
１９  リブ状の凸部
２０ａ  垂直部
２０ｂ  水平部
２０ｃ  空間部
２１  孔
２２ａ、２２ｂ  垂直面
２３ａ、２３ｂ  嵌合部
２４  凸部
２５  凹部
【図１】
0003197087.tif 000003
【図２】
0003197087.tif 000004
【図３】
0003197087.tif 000005
【図４】
0003197087.tif 000006
【図５】
0003197087.tif 000007